(57)【要約】      （修正有）【課題】カードケースの表面に現れる凹凸を無くして、その手触り感を改善することができるカードケースを提供する。【解決手段】カードケース１０は、点滅部４３や発光部４４を載置する電子回路４と、光を通す材料から成る第１シート１と、第２シート２と、光を通す材料から成る第４シート７と、第５シート８とを備える。第１シート１及び第２シート２を係合して内部に第１収納部２２を形成し、第４シート７及び第５シート８を係合して内部に第２収納部６２を有する袋体９を形成し、電子回路４の寸法を袋体９の寸法より所定値だけ小さく形成し、発光部４４を第４シート７で覆って電子回路４を第２収納部６２に収納し、第４シート７を第１シート１で覆って袋体９を第１収納部２２に収納して、電子回路４を二重包装したものである。この二重包装により、カードケース１０の表面に凹凸が現れることを回避する。【選択図】図２
0003190768.tif 000002
【実用新案登録請求の範囲】
【請求項１】
電波を受けて電磁誘導起電力を出力する受信部と前記電磁誘導起電力を入力して点滅信号を生成する点滅部と前記点滅信号により点滅光を発する発光部とを載置する電子回路と、光を通す材料から成る第１シートと、第２シートと、光を通す材料から成る第４シートと、第５シートとを備えるカードケースであって、
前記第１シート及び前記第２シートの周縁を係合して当該内部に第１収納部を形成し、
前記第４シート及び前記第５シートの周縁を係合して当該内部に第２収納部を有する袋体を形成し、
前記電子回路の外形寸法を前記袋体の外形寸法より所定値だけ小さく形成し、
前記発光部を前記第４シートで覆って前記電子回路を前記第２収納部に収納し、
前記第４シートを前記第１シートで覆って前記袋体を前記第１収納部に収納して、
前記電子回路を二重包装したことを特徴とするカードケース。
【請求項２】
前記受信部の外側に５個ないし７個の前記発光部を配し、前記受信部の内側に前記点滅部を収めて、これらの前記発光部、前記受信部および前記点滅部を前記電子回路の片面に載置したことを特徴とする請求項１に記載のカードケース。
【考案の詳細な説明】
【技術分野】
【０００１】  本考案は、ＩＣカードを収めるとともに光を発するカードケースに関する。
【背景技術】
【０００２】  従来のカードケースとして、特許文献１に開示されたものがある。
このカードケースは、点滅信号を生成する点滅部と点滅信号により点滅光を順次に発する複数個の発光部とを有する電子回路と、点滅光を通す材料から成り装飾表面を有する第１シートとを備え、それぞれの発光部は、電子回路の周辺に敷設され、第１シートの装飾表面は、それぞれの発光部を被覆し、点滅部は、点滅光が電子回路の周辺を回りながら第１シートを透過し当該装飾表面から発するよう点滅信号を生成する構成である。この構成により、カードケースの嗜好性を向上するものである。
【先行技術文献】
【特許文献】
【０００３】
【特許文献１】  実用新案登録第３１６６１７０号公報
【考案の概要】
【考案が解決しようとする課題】
【０００４】  最近のカードケースは、その表面をユニークな意匠とカラフルな色彩模様で装飾するともにその表面から点滅光を発して、嗜好性を富ませているものである。
しかしながら、特許文献１に示すカードケースでは、その表面に凹凸があり、カードケースを手にしたときの手触り感に課題があった。
したがって本考案は、カードケースの手触り感を良くすることができるカードケースを提供することを目的としている。
【課題を解決するための手段】
【０００５】  請求項１記載の本考案のカードケースは、電波を受けて電磁誘導起電力を出力する受信部と前記電磁誘導起電力を入力して点滅信号を生成する点滅部と前記点滅信号により点滅光を発する発光部とを載置する電子回路と、光を通す材料から成る第１シートと、第２シートと、光を通す材料から成る第４シートと、第５シートとを備えるカードケースであって、前記第１シート及び前記第２シートの周縁を係合して当該内部に第１収納部を形成し、前記第４シート及び前記第５シートの周縁を係合して当該内部に第２収納部を有する袋体を形成し、前記電子回路の外形寸法を前記袋体の外形寸法より所定値だけ小さく形成し、前記発光部を前記第４シートで覆って前記電子回路を前記第２収納部に収納し、前記第４シートを前記第１シートで覆って前記袋体を前記第１収納部に収納して、前記電子回路を二重包装したことを特徴とする。
請求項２記載の本考案は、請求項１に記載のカードケースにおいて、前記受信部の外側に５個ないし７個の前記発光部を配し、前記受信部の内側に前記点滅部を収めて、これらの前記発光部、前記受信部および前記点滅部を前記電子回路の片面に載置したことを特徴とする。
【考案の効果】
【０００６】  本考案によれば、カードケースの表面に凹凸が現れることを回避することができる。これにより、カードケースの手触り感を良くすることができる。
また、カードケース裏面の凹凸を無くすことができるとともに、カードケースを薄く小型なものとすることができる。これにより、カードケースの手触り感を一段と良くするとともに、手持ち感も良くすることができる。
【図面の簡単な説明】
【０００７】
【図１】  本考案による一実施例のカードケースを示す分解斜視図
【図２】  図１に示すカードケースの長手方向の断面図
【図３】  図１に示すカードケースの一実施例の袋体を示す長手方向の断面図
【図４】  図１に示すカードケースの一実施例の電子回路を示す平面図
【考案を実施するための形態】
【０００８】  本考案の第１の実施の形態によるカードケースは、電波を受けて電磁誘導起電力を出力する受信部と電磁誘導起電力を入力して点滅信号を生成する点滅部と点滅信号により点滅光を発する発光部とを載置する電子回路と、光を通す材料から成る第１シートと、第２シートと、光を通す材料から成る第４シートと、第５シートとを備えるカードケースであって、第１シート及び第２シートの周縁を係合して当該内部に第１収納部を形成し、第４シート及び第５シートの周縁を係合して当該内部に第２収納部を有する袋体を形成し、電子回路の外形寸法を袋体の外形寸法より所定値だけ小さく形成し、発光部を第４シートで覆って電子回路を第２収納部に収納し、第４シートを第１シートで覆って袋体を第１収納部に収納して、電子回路を二重包装したものである。
本実施の形態によれば、角や出っ張りを有する電子回路が二重包装されるので、角や出っ張りが隠されてカードケースの表面に凹凸が現れることを回避することができる。特に、電子回路の寸法が袋体の寸法より小さいので、電子回路の角が袋体の表面に現れずカードケースの表面を平らにする。
【０００９】  本考案の第２の実施の形態は、第１の実施の形態によるカードケースにおいて、受信部の外側に５個ないし７個の発光部を配し、受信部の内側に点滅部を収めて、これらの発光部、受信部および点滅部を電子回路の片面に載置したものである。
本実施の形態によれば、受信部、点滅部、発光部の出っ張りが表面のみとなり、カードケースの裏面に凹凸が現れることを回避することができる。また、受信部の数を５個ないし７個とすることにより、電子回路の小型化や薄肉化が実現し、カードケースを薄く小型なものとすることができる。
【実施例】
【００１０】  本考案による一実施例のカードケースについて、図面を参照して説明する。
図１は、本考案による一実施例のカードケースを示す分解斜視図であり、図２は、図１に示すカードケースの長手方向の断面図である。
図３は、図１に示すカードケースの一実施例の袋体を示す長手方向の断面図であり、図４は、図１に示すカードケースの一実施例の電子回路を示す平面図である。そして、図１、図３に上記の長手方向を矢印で示している。【００１１】  図１に示すように、本実施例のカードケース１０は、光を通す材料から成り装飾表面１ａを有する第１シート１と、第２シート２と、第３シート３と、電子回路４を内包する袋体９と、から構成される。なお、本実施例ではカードケース１０、袋体９、電子回路４などの外形（外観形状）を矩形としている。
図２に示すように、カードケース１０では、第１シート１及び第２シート２の四方の周縁同士を接続部２１で接続し、第１シート１と第２シート２とを係合している。この構成により、第１シート１及び第２シート２の内側に第１収納部２２が形成され、この第１収納部２２の内部に袋体９が収納されている。【００１２】  そして、第２シート２及び第３シート３の三方の周縁同士を接続部３１で接続し、第２シート２と第３シート３とを係合している。この構成により、一方に開口部５１を有するカード収納部５が形成され、図２の二点鎖線で示すように、このカード収納部５に非接触型のＩＣカード６が収められる。
このとき、図１及び図２に示すように、カードケース１０では、第２シート２の長手方向の長さより、第３シート３の長手方向の長さを小さくする構成としている。この構成により、ＩＣカード６を開口部５１から容易に挿入することができる。【００１３】  次に、図３に示すように、本実施例の袋体９は、光を通す材料から成る第４シート７と、第５シート８と、電子回路４とから構成される。この袋体９では、第４シート７及び第５シート８の周縁同士を接続部６１で接続し、第４シート７と第５シート８とを係合している。この構成により、袋体９は、第４シート７及び第５シート８の内側に第２収納部６２を有して形成されている。そして、この第２収納部６２の内部に電子回路４が収められている。従って、電子回路４は第２収納部６２と第１収納部２２とで二重に包装されている構成である。【００１４】  さらに、図４に示すように、本実施例の電子回路４は、基板４１と、基板４１の片面上に載置した受信部４２、点滅部４３及び６個の発光部４４とから構成される。
基板４１は、第４シート７で被覆される側の当該片面に受信部４２、点滅部４３及び６個の発光部４４を載置する。（図３参照）なお、本実施例において、電子回路４の外形寸法は基板４１の外形寸法と同一であるとしている。しかしながら、両者が同一寸法である構成に限定するものではない。
受信部４２は、カードケース１０とともにＩＣカード６をカード読取機等に翳した時にカード読取機等から電波を受けて電磁誘導起電力を出力する。【００１５】  点滅部４３は、受信部４２から電磁誘導起電力を入力し、発光部４４を点滅させる点滅信号を生成して、その点滅信号を発光部４４へ順に出力する。
６個の発光部４４は、６個の発光素子４４ａ，４４ｂ，４４ｃ，４４ｄ，４４ｅ，４４ｆから構成される。それぞれの発光素子４４ａ〜４４ｆは、所定の間隔で基板４１の周辺に敷設され、点滅部４３から点滅信号を入力して、順に点滅する。
そして、図３の矢印で示すように、発光部４４からの点滅光は、第４シート７を通過して第４シート７の表面から発する。さらに、図２の矢印で示すように、第４シート７を通過した点滅光は、第１シート１を通過して第１シート１の装飾表面１ａから発する。【００１６】  本考案のカードケース１０の第一の特徴は、電子回路４の外形寸法を袋体９の外形寸法より所定値Ｓだけ小さくした電子回路４を、第４シート７及び第５シート８と、第１シート１及び第２シート２とで、二重包装する構成にある。
本実施例のカードケース１０では、図１及び図３に示すように、袋体９の長手方向の寸法Ｌより、電子回路４の長手方向の寸法Ｌ１を所定値だけ小さくする。具体的には、一方の縁幅を所定値Ｓ１だけ小さくし、他方の縁幅を所定値Ｓ２だけ小さくして、電子回路４を形成している。
同様に、袋体９の長手方向に直角の方向の寸法Ｍより、電子回路４の長手方向に直角の方向の寸法Ｍ１を所定値だけ小さくする。具体的には、一方の縁幅を所定値Ｓ３だけ小さくし、他方の縁幅を所定値Ｓ４だけ小さくして、電子回路４を形成している。
なお、上記の縁幅とは、電子回路４の外縁に沿って形成されるところの、袋体９と電子回路４との隙間の幅を指している。
また、本実施例の袋体９及び電子回路４の外観形状は両方とも矩形であるので、それぞれの外形寸法は、寸法Ｌ及び寸法Ｍと、寸法Ｌ１及び寸法Ｍ１とで表わされる。【００１７】  そして、図３のＡ部拡大に示すように、第４シート７と第５シート８とで電子回路４を包装する構成により、電子回路４（即ち、基板４１）の周縁に存在する角部４ａに当接する第４シート７の表面に、丸み７ａが形成される。同様に、角部４ａに当接する第５シート８の表面に、丸み８ａが形成される。従って、電子回路４の角部４ａが第４シート７及び第５シート８の両表面に角張って現れず、袋体９を平面化することができる。
なお、寸法Ｌより寸法Ｌ１を小さくしない構成の場合、鋭角な角部４ａが第４シート７及び第５シート８の表面に出っ張り、袋体９を平面化することが困難である。【００１８】  そして、袋体９の表面が平らであり、且つ電子回路４が二重包装されるので、袋体９を収納する第１シート１及び第２シート２の表面も平らになり、カードケース１０の表面に凹凸が現れることが回避される。
上記第一の特徴を有する本実施例のカードケース１０により、カードケース１０を手に持ったときの手触り感が改善されて、カードケース１０の嗜好性を向上させる効果が得られる。【００１９】  つぎに、本考案のカードケース１０の第二の特徴は、５個ないし７個の発光部４４を受信部４２の外側に配し、点滅部４３を受信部４２の内側に収めながら、基板４１の片面に受信部４２、点滅部４３及びそれらの発光部４４を載置する構成にある。
ところで、本実施例では、発光部４４の数を６個としている。この発光部４４を６個とする構成により、点滅信号を生成する機構が簡素化されて点滅部４３の寸法を小さくすることができる。点滅部４３が小さくなると点滅部４３を受信部４２の内側にすっぽりと収めることができる。従って、受信部４２、点滅部４３及び発光部４４を基板４１の片面に載置することが可能となる。この結果、点滅部４３などの出っ張りは片面にのみ生じることになる。
この構成により、電子回路４の裏面は平らであり、カードケース１０の裏面に凹凸が現れることが防止される。【００２０】  なお、発光部の数が多い場合、受信部の内側に点滅部を収めることができず、例えば、受信部及び発光部を基板の表面に載置し、点滅部を裏面に載置する構成となる。この構成では、受信部及び発光部が表面に出っ張り、点滅部が裏面に出っ張ることになり、電子回路の表裏両面に凹凸が生じることになる。このような電子回路をシートなどで包装すると、そのシート面に、すなわちカードケースの両面に凹凸が現れることになる。
また、発光部の数が少なすぎる場合、周回する点滅光の効果が薄れるので、発光部４４の数は５個ないし７個が望ましいと言える。
さらに、図３に示すように、本実施例のカードケース１０では、第４シート７が発光部４４の被覆と保護とを兼ねているので、発光部４４を保護する部品を別に設ける必要がなくなる。即ち、その保護部品による出っ張りがなくなり、この点からもカードケース１０の平面化に貢献している。
上記第二の特徴を有する本実施例のカードケース１０により、裏面の手触り感が良くなり、且つ点滅光効果も活かせて、カードケース１０の嗜好性を更に向上することができる。【００２１】  ここで、第一および第二の特徴に付随する効果について説明する。
第一の特徴である二重包装により、電子回路４や基板４１を薄肉化することが可能となる。二重包装が補強の役割を担い電子回路４や基板４１を保護するからである。例えば、本実施例の基板４１において、その厚みを０．３ｍｍほど薄くすることができる。（この数値は当社比である。）加えて第二の特徴である点滅部４３等の片面載置により、裏面の出っ張りが無くなった分だけ電子回路４の厚みを薄くすることができる。
また、第二の特徴である発光部４４の個数低減により、電子回路４すなわち基板４１の寸法を小型化することが可能となる。点滅部４３の寸法を小さくすることや発光部４４の敷設間隔を狭めることができるからである。例えば、発光部４４を６個にすることにより、本実施例の基板４１の長手方向の寸法を１０ｍｍほど短くし、長手方向に直角の寸法を２０ｍｍほど短くすることができる。（これらの数値は当社比である。）
上記の薄肉化や小型化により、本実施例のカードケース１０は薄く小型なものとなり、カードケース１０の手持ち感を向上するという効果が得られる。【００２２】  ここで、本実施例のカードケース１０の材料や寸法などについて説明する。
第１シート１、第２シート２及び第３シート３は、光を通す材料であり、例えば、塩化ビニル樹脂から成る。それぞれのシートの厚さは０．２〜０．３ｍｍくらいである。当該シート厚は点滅光を通す必要性から適宜に薄い方が望ましい。
第４シート７及び第５シート８は、光を通す材料であり、例えば、塩化ビニル樹脂、ＰＥＴ（ポリエチレンテレフタレート）樹脂などから成る。各々のシートの厚さは０．２〜０．４ｍｍである。当該シート厚は適宜に厚い方が望ましい。シート厚が薄すぎると材料の弾力性が低下して丸み７ａが形成され難くなり、電子回路４の角部４ａが第４シート７の表面に現れ易いからである。
なお、第１シート１及び第４シート７は、光を通す材料であるが、第２シート２、第３シート３および第５シート８は、光を通す材料に限定されるものではない。【００２３】  基板４１は、例えばガラスエポキシ材から成り、その厚さは０．７〜１．２ｍｍである。受信部４２は、例えば電気伝導材のコイルから成り、電波を受けるとコイルに電磁誘導起電力が発生する。点滅部４３は、例えば抵抗やＩＣチップなどから成り、電磁誘導起電力を用いて点滅信号を生成する。発光部４４は、例えば発光ダイオード（ＬＥＤ）から成る。【００２４】  次に、外形寸法について説明する。
本実施例のカードケース１０及び袋体９の外形寸法は、１０５ｍｍ（長手方向）×６５ｍｍである。そして、電子回路４の外形寸法、すなわち基板４１の外形寸法は、８０ｍｍ（長手方向）×４０ｍｍである。
本実施例では、電子回路４の外形寸法を袋体９の外形寸法より所定値Ｓだけ小さくしているので、図１に示すように、縁幅としての所定値Ｓ１及び所定値Ｓ２は１２〜１３ｍｍであり、所定値Ｓ３及び所定値Ｓ４も１２〜１３ｍｍである。
なお、それぞれの縁幅は、Ｓ＝Ｓ１＝Ｓ２＝Ｓ３＝Ｓ４の関係にあることが望ましい。しかしながら、例えば後述する同時熔着にて電子回路４を包装するとき、電子回路４が移動することも有り得るので、この等式関係に限定されるものではない。【００２５】  ところで、本考案の所定値Ｓとしては、７．５ｍｍ〜１７．５ｍｍの範囲が望ましい。
その理由は、所定値Ｓが上記範囲にある構成であれば、電子回路４が袋体９の内部にバランスの取れた状態で収納される。その結果、電子回路４の角部４ａや点滅部４２などの凸部が、適度に隠されて、袋体９やカードケース１０の表面に出っ張って現れず、それらの表面形状を平らにすることができるからである。なお、所定値Ｓの寸法は、電子回路４の外側に形成されるところの電子回路４と袋体９との周縁隙間であるとも言える。【００２６】  次に、カードケースの外形について説明する。
本実施例では、カードケース１０の外形を矩形としたが、矩形に限定されるものではなく、円形、楕円形、ハート形などを否定しているものではない。そして、カードケースが円形の場合、袋体の外形寸法は袋体直径に相当し、電子回路の外形寸法は電子回路直径に相当する。従って、所定値は袋体直径と電子回路直径の差であり、前述した縁幅または周縁隙間に該当するものである。【００２７】  次に、製法について説明する。
本実施例では、第１シート１及び第２シート２の間に、第４シート７及び第５シート８を挟み、これらの４枚のシートを同時熔着している。この熔着により、電子回路４は第４シート７及び第５シート８で包装され、袋体９および電子回路４は第１シート１及び第２シート２で包装される。このとき、光を通す材料の第１シート２と同じく光を通す材料の第４シート７とで、電子回路４の発光部４４は二重に被覆される。
この同時熔着により、カードケース１０の製作費用を低く抑えることができるという利点が得られる。【００２８】  なお、図３に示すように、第４シート７及び第５シート８の周縁を熔着すると、接続部６１としての熔着代が形成される。この場合、電子回路４が収納される袋体９の内法寸法Ｌａは、両端の熔着代の分だけ、袋体９の寸法Ｌより小さくなる。
従って、電子回路４の寸法Ｌ１を袋体９の寸法Ｌより所定値Ｓだけ小さくする構成を、電子回路４の寸法Ｌ１を袋体９の内法寸法Ｌａより所定値Ｓだけ小さくする構成と、言い換えることを否定するものではない。【００２９】  また、第２収納部６２に電子回路４を収納して熔着する場合、第４シート７及び第５シート８は膨らみを有する。従って、袋体９の寸法Ｌと第１シート１及び第２シート２の長手方向のＸ寸法（図１参照）とを同一寸法で仕上げる場合は、第４シート７と第５シート８との長手方向の実寸法（図示しない）は、寸法ＬやＸ寸法よりやや大きい寸法となる。なお、長手方向に直角の寸法Ｍや寸法Ｙ（図１参照）に関しても同様である。【００３０】
【産業上の利用可能性】
【００３１】  本考案にかかるカードケースは、カードケースの嗜好性を高める効果を有し、ＩＣカードのカードケースとして、またおしゃれグッズ（キャラクターグッズなど）や玩具としても有用である。
【符号の説明】
【００３２】  １            第１シート
１ａ          装飾表面
２            第２シート
３            第３シート
４            電子回路
４ａ          角部
５            カード収納部
６            ＩＣカード
７            第４シート
７ａ          第４シート表面の丸み
８            第５シート
８ａ          第５シート表面の丸み
９            袋体
１０            カードケース
２１            接続部
２２            第１収納部
３１            接続部
４１            基板
４２            受信部
４３            点滅部
４４            発光部
４４ａ〜４４ｆ  発光素子
５１            開口部
６１            接続部
６２            第２収納部
Ｌ            袋体の長手方向の寸法
Ｌ１          電子回路の長手方向の寸法
Ｍ            袋体の長手方向に直角の方向の寸法
Ｍ１          電子回路の長手方向に直角の方向の寸法
Ｓ            所定値
Ｓ１，Ｓ２，Ｓ３，Ｓ４    所定値
【図１】
0003190768.tif 000003
【図２】
0003190768.tif 000004
【図３】
0003190768.tif 000005
【図４】
0003190768.tif 000006